(57)【要約】【課題】  洗い場などの床面での洗濯機の載置に自由度を持たせ、洗濯機の大きさに制約されずに設置面積を変えられて載置台が構成でき、場所も取らずコンパクトで体裁良好な載置台として、床面の設置も簡便に行え、しかも点検時や清掃時に洗濯機を移動したり取り除いたりすることも容易に行えて取り扱いの簡易化を図る。【解決手段】  洗濯機載置台１が洗濯機Ａを載せることができる載置プレート２を装着した台座部材３を四隅に備えて構成され、各台座部材３の対向面に連結桿挿入部４と、側板挿入部５とを形成し、該連結桿挿入部４に連結桿６を挿脱自在に接続すると共に、前記側板挿入部４に側板７を着脱自在に装着した構成で載置台となし、該連結桿挿入部５に連結桿６の長手方向に連結位置を可変とする取付部８を形成し、さらに、前記載置プレート上２に防振ゴムプレート９を介して或いは台座部材３上にカバー板１０を配備した。【選択図】    図１
2007044390.tif 000002
【特許請求の範囲】
【請求項１】
洗濯機を載せることができる載置プレートを装着した台座部材を四隅に備え、各台座部材の対向面に連結桿挿入部と、側板挿入部とを形成し、該連結桿挿入部に連結桿を挿脱自在に接続すると共に、前記側板挿入部に側板を着脱自在に装着した構成で載置台となし、該連結桿挿入部に連結桿の長手方向に連結位置を可変とする取付部を形成したことを特徴とする洗濯機載置台。
【請求項２】
請求項１記載の洗濯機載置台において、前記台座部材が、前記載置プレート上に防振ゴムプレートを介して、或いは台座部材上に補カバー板或いは洗濯機排水ホースに接続され排水を処理する排水トラップのあるカバー板を配備したことを特徴とする洗濯機載置台。
【請求項３】
請求項１または２記載の洗濯機載置台において、前記台座部材が、二方向に開口する樋部を直角に連結したＬ型部材からなる角隅部で構成したものからなり、前記樋部を前記連結桿を挿入接続できる連結桿挿入部とすると共に、角隅部上面に載置プレートを平坦に嵌着したことを特徴とする洗濯機載置台。
【請求項４】
請求項２または３記載の洗濯機載置台において、前記載置プレートが、幅方向と奥行き方向の二方向に延設される三角形状或いは四角形状若しくは扇形状の板部材であって、洗濯機脚部を載置でき前記台座部材上面を覆い角隅部に嵌合配備したことを特徴とする洗濯機載置台。
【請求項５】
請求項２，３または４記載の洗濯機載置台において、前記載置プレートが、金属或いは合成樹脂によって構成した補強板の上部外側縁に縁取り周側片を有し、かつ上面に防振ゴムプレートを貼着されたことを特徴とする洗濯機載置台。
【請求項６】
請求項３，４または５記載の洗濯機載置台において、前記台座部材の連結桿挿入部がそれぞれ連結桿を摺動自在に嵌合する凹溝で構成され二方向に開口する樋部からなり、装着された連結桿を締め付けネジによって前記台座部材の取付部に着脱自在に連結したことを特徴とする洗濯機載置台。
【請求項７】
請求項３，４または５記載の洗濯機載置台において、前記台座部材の側板挿入部が、上面および、側面を開口する二重の周壁部を備えたポケット部からなり、対向する台座部材に跨がって上面から平板状の側板を挿脱自在に嵌装して台座部材間の外側面をカバーしたことを特徴とする洗濯機載置台。
【請求項８】
請求項５，６または７記載の洗濯機載置台において、前記台座部材が、底面部に脚部を備え、該脚部に方向自在の車輪のあるキャスタを着脱自在に装着できるキャスタ取付部を設けたことを特徴とする洗濯機載置台。
【発明の詳細な説明】
【技術分野】
【０００１】
本発明は、住宅内の洗い場或いはバスルームやマンションの台所、洗面所、ベランダでの流し場などに置く洗濯機を載せるための洗濯機載置台に関するものである。
【背景技術】
【０００２】
従来の洗濯機は、洗い場その他の流し場などに配置される洗濯機は、排水ホースと接続され、排水ホースから流出する廃水（汚水）を床下に配設した排水管に案内するために用いられており、床面上や防水パン上の平坦な場所に置いて固定して用いられている。
【０００３】
【特許文献１】実公平２−４５３２７号公報    特許文献１の洗濯機用防水パンは、洗濯機が充分に設置可能な面積の平面略長方形をなし、周囲に水止め用の框部が形成され、家屋の床上に載置され、固定具が前記框部の挿通孔に挿通され、固定具の頭部が収納凹部に収納されるまで床にねじ込まれて床上に固定されていることが記載されている。
【発明の開示】
【発明が解決しようとする課題】
【０００４】
この従来の洗い場に洗濯機を載置する場合には、住宅などの家屋の床面上に洗濯機の大きさより大きな寸法の洗濯機載置用の防水パンが取り付けられ、しかも防水パン下が配管スペースとなっているため、洗濯機の寸法に合わせた設置面積のある防水パンが必要となり設置面積の調整は不可能で、洗濯機の更新には防水パン全体をそっくり変えなくてはならないし、敷設される排水トラップの設備も、防水パンの載置した床下にあって排水トラップ設備や配管の漏水の点検や設備良否の検査、点検が必要になっても、点検口があってもトラップや配管の良否が点検できず、漏水原因や設備検査特に満水検査時に床下の検査や、排水トラップ本体と排水管の接合状態の良否も確認できない不便があって、この点検作業にも固定した防水パンが邪魔となって施工作業や住宅の維持管理上に不安があって問題があった。
また、この防水パンは、洗濯機が充分に設置可能な面積の平面略長方形をなしているため、場所をとり点検の際には、洗濯機の真下にあって洗濯機や防水パンを取り除かなければ点検口が開けられないために取り扱い不便であるばかりか、リビングとしては、固定した洗濯機や防水パンの移動ができず模様替えや清掃取り扱いにも不便、不体裁な形態であり、さらに、床面上の掃除をも洗濯機や防水パンが邪魔となって綺麗にできない上に不便極まりないものであった。
【０００５】
本発明は、これら従来の事情に鑑みてなされたものであり、洗濯機の設置での不便さを排除しようとするもので、洗い場などの床面での洗濯機の載置に自由度を持たせ、洗濯機の大きさに制約されずに設置面積を変えられて載置台を構成でき、場所も取らずコンパクトで体裁良好な載置台として、床面の設置も簡便に行うことができ、しかも点検時や清掃時に洗濯機を移動したり取り除いたりすることも容易に行えて取り扱いの簡易化を図ることにある。
さらに本発明では、排水トラップ設備や配管の漏水の点検や設備良否の検査、点検が必要になっても、側板を取り外して載置台下面を見通しできトラップや配管の良否が容易に点検でき、施工作業や住宅の維持管理が容易であり、施行工事も簡便に行うことができ、しかも洗濯機の設置面下の清潔さの維持も楽で、不衛生感がなく安全に用いられる低コストの体裁良好な洗濯機載置台を提供することを目的としている。  
【課題を解決するための手段】
【０００６】
上述の課題を解決するために、この発明は、洗濯機を載せることができる載置プレートを装着した台座部材を四隅に備え、各台座部材の対向面に連結桿挿入部と、側板挿入部とを形成して、該連結桿挿入部に連結桿を挿脱自在に接続すると共に、前記側板挿入部に側板を着脱自在に装着した構成で載置台となし、該連結桿挿入部に連結桿の長手方向に連結位置を可変とする取付部を形成したことで、洗い場などの床面での洗濯機に合わせた載置台として洗濯機の載置に自由度を持たせ、コンパクトで体裁良好な洗濯機載置台として、床面上での設置も簡便に行うことができ、しかも点検時に洗濯機を移動したり取り除いたりすることも簡単にでき取り扱いの簡易化を図ることができる。  
【０００７】
また、本発明の洗濯機載置台においては、前記台座部材が、前記載置プレート上に防振ゴムプレートを介して、或いは台座部材上に補強用のカバー板或いは洗濯機排水ホースに接続され排水を処理する排水トラップのあるカバー板を配備されれば、防水パンの使用を不要として点検時や清掃時に洗濯機を移動したり取り除いたりすることも容易に行うことができる。
さらに、この発明の洗濯機載置台では、前記台座部材が、二方向に開口する樋部を直角に連結したＬ型部材からなる角隅部で構成したものからなり、前記樋部を前記連結桿を挿入接続できる連結桿挿入部とすると共に、角隅部上面に載置プレートを平坦に嵌着したことと、前記載置プレートが、幅方向と奥行き方向の二方向に延設される三角形状或いは四角形状若しくは扇形状の板部材であって、洗濯機脚部を載置でき前記台座部材上面を覆い角隅部に嵌合配備したことで、洗濯機の外径寸法に合わせた大きさの設置面積を備えられる載置台を構成でき、場所も取らずコンパクトで体裁良好な載置台として用いるようにしてある。
【０００８】
なお、この発明の洗濯機載置台とするのに前記載置プレートは、金属或いは合成樹脂によって構成した補強板の上部外側縁に縁取り周側片を有し、かつ上面に防振ゴムプレートを貼着されたことで、洗濯機の洗濯作業時での振動や振動音の発生の抑制を確実にして防音・防振効果も発揮し、載置台の組立構成の補強と施工作業も簡素化して洗濯機の載置を安全に行うことができ、洗濯機の移動作業も安定して行えるようにするのが好ましい。
【０００９】
本発明の実施形態では、前記台座部材の連結桿挿入部がそれぞれ連結桿を摺動自在に嵌合する凹溝で構成され二方向に開口する樋部からなり、装着された連結桿を締め付けネジによって前記台座部材の取付部に着脱自在に連結できるようにすれば、洗濯機の大きさに合わせて設置面積を変えられて載置台を構成でき、床面の設置も簡便に行えてその施工作業性も大幅に向上できるようにしてある。
【００１０】
前記洗濯機載置台において、前記台座材部材としては、その側板挿入部が、上面および、側面を開口する二重の周壁部を備えたポケット部からなり、対向する台座部材に跨がって上面から平板状の側板を挿脱自在に嵌装して台座部材間の外側面をカバーするようにするのが、リビングなどの内装に調和した体裁良好な載置台として用いられるし、リホームや洗濯機変更の際にも模様替えが可能であって、さらに排水トラップ設備や配管の漏水の点検や設備良否の検査、点検が必要になっても、側板を取り外して載置台下面を見通しできるようにして、トラップや配管の良否が容易に点検できる構成にするのがよい。
【００１１】
さらにまた、本発明の実施に当たって好適例の一つとして、前記台座部材の底面部に脚部が備えられ、該脚部に方向自在の車輪のあるキャスタを着脱自在に装着できるキャスタ取付部を設けた構成にしておけば、台座部材に必要に応じてキャスタを装備して洗濯機載置台の設置周りの点検時や清掃時に、載置台とともに洗濯機を移動したり取り除いたりできるようにし、取り扱いの簡易化を図れるようにして商品価値を増すようにしておくのが好ましい。
【発明の効果】
【００１２】
本発明は、洗濯機を載せることができる載置プレートを装着した台座部材を四隅に備え、各台座部材の対向面に連結桿挿入部と、側板挿入部とを形成して、該連結桿挿入部に連結桿を挿脱自在に接続すると共に、前記側板挿入部に側板を着脱自在に装着した構成で載置台となし、該連結桿挿入部に連結桿の長手方向に連結位置を可変とする取付部を形成したことで、洗い場などの床面での洗濯機に合わせた載置台として洗濯機の載置に自由度を持たせることができるので、連結桿を適宜調節して載置台の縦横寸法を変えて洗濯機の大きさに応じた載置台にすることができ、洗い場などの床面での洗濯機の載置に自由度を持たせ、洗い場などの床面での場所にあったコンパクトで体裁良好な洗濯機載置台として用いることができ、洗い場内での設置も簡便に行うことができ、しかも点検時に洗濯機を移動したり取り除いたりするも簡単にでき取り扱いの簡易化を図ることができる。
【００１３】
この洗濯機載置台での前記台座部材は、前記載置プレート上に防振ゴムプレートを介して、或いは台座部材上に補強用のカバー板或いは洗濯機排水ホースに接続され排水を処理する排水トラップのあるカバー板を配備すれば、防水パンの使用を不要として排水処理を簡便化でき、しかも点検時や清掃時に洗濯機を移動したり取り除いたりすることも容易に行え、洗濯機の防振、防音効果も発揮でき作業環境を良好にすることができる。
さらに、この発明の洗濯機載置台では、前記台座部材が、二方向に開口する樋部を直角に連結したＬ型部材からなる角隅部で構成したものからなり、前記樋部を前記連結桿を挿入接続できる連結桿挿入部とすると共に、台座部材の角隅部上面に載置プレートを平坦に嵌着したことと、前記載置プレートが、幅方向と奥行き方向の二方向に延設される板部材であって、洗濯機脚部を載置でき前記台座部材上面を覆い角隅部に嵌合配備したことで、洗濯機載置台での転倒や破損を防止して洗濯機の載置を安全に行うことができ、洗濯機の移動作業も安定して行なえて、さらに設置場所の自由な選定もできて、床面の掃除や点検時での取り扱いの簡易化を図ることができるし、排水設備の施工作業が容易であって、洗い場での清掃作業も楽に行うことができる。
【００１４】
本発明の洗濯機載置台では、前記台座材部材としては、その側板挿入部が、上面および、側面を開口する二重の周壁部を備えたポケット部からなり、対向する台座部材に跨がって上面から平板状の側板を挿脱自在に嵌装して台座部材間の外側面をカバーする構成になっているので、化粧板の側板で周囲を囲いリビングなどの内装に調和した体裁良好な載置台として用いられるし、リホームや洗濯機変更の際にも模様替えが簡単に可能であって、さらに排水トラップ設備や配管の漏水の点検や設備良否の検査、点検が必要になっても、側板を取り外して載置台下面を見通しできるようにして、排水トラップや配管の良否が容易に点検でき取扱も簡便に行なえる。
【００１５】
また、本発明では、洗濯機載置台での転倒や破損を防止して安全に用いられ防振効果も発揮できるし、組立て調整作業も簡単に行うことができ、洗い場などの床面での場所を取らずコンパクトで体裁良好なものにし、排水トラップを含む排水設備の点検、特に満水検査時に床下の検査や、排水トラップ本体と排水管の接合状態の良否も確認も載置台の組立、分解調整作業が容易にできるので、施工作業や住宅の維持管理も楽に行なえる。
【００１６】
本発明では、この洗濯機載置台において、台座部材が、Ｌ型部材からなる角隅部を構成して、二方向に開口する連結桿挿入部挿入連結部と側板挿入部とを備えたことで、幅方向と奥行き方向の二方向に延長する連結桿に跨がって平坦に載置プレートを設けたことにより、組立て構成が簡単で低コストの洗濯機載置台とすることができ、洗濯機を移動したり取り除いたりすることも容易にできて、排水トラップ設備や配管の漏水の点検や設備良否の検査、点検が必要になっても、トラップや配管の良否が容易に点検でき、施工作業や住宅の維持管理が容易であり、施行工事も簡便に行うことができ、しかも洗濯機の設置面下の清潔さの維持も楽で、不衛生感がなく安全に用いられる。
【発明を実施するための最良の形態】
【００１７】
以下、本発明の実施の形態を図１〜図４の図面を参照して説明する。
この実施の形態における洗濯機載置台１は、洗濯機Ａを載せることができる載置プレート２を装着した台座部材３を四隅に備え、各台座部材３の対向面に連結桿挿入部４と、側板挿入部５とを形成し、該連結桿挿入部４に連結桿６を挿脱自在に接続すると共に、前記側板挿入部４に側板７を着脱自在に装着した構成で載置台となし、該連結桿挿入部５に連結桿６の長手方向に連結位置を可変とする取付部８を形成してある。（図１乃至図３）
また、必要に応じ、前記載置プレート２上に防振ゴムプレート９を介して或いは、前記台座部材３上に補強用のカバー板１０例えば全面を覆う一枚板或いは分離板または中央部の穴あきで外周部を覆う環状板や、両端を掛け渡しできる長方形板を適宜選んで用いることができる。この場合、カバー板１０は上面に着脱自在に嵌合配備するか或いは連結桿６の取付孔１６に取付ネジで装着するのがよい。（図１ａ）
【００１８】
前記台座部材３としては、木材、金属、軽合金或いは合成樹脂によって構成した二方向に開口する樋部を直角に連結したＬ型部材からなる角隅部で構成したものからなり、前記樋部を前記連結桿６を挿入接続できる連結桿挿入部４とすると共に、角隅部上面に載置プレート２を平坦に嵌着できるようにしてある。（図３）
また、この載置プレート２は、幅方向と奥行き方向の二方向に延設される三角形状或いは四角形状若しくは扇形状の板部材であって、洗濯機脚部Ｄを載置でき前記台座部材３の上面を覆い角隅部に嵌合配備できるようにしてあって、軽合金、金属或いは合成樹脂によって構成した補強板の上部外側縁に縁取り周側片を有し、かつ上面に防振ゴムプレート９を貼着して前記カバー板１０が防振、防音機能が果たせるように重合取り付けられる。
【００１９】
さらに、前記台座部材３の連結桿挿入部４は、それぞれ連結桿６を摺動自在に嵌合する凹溝で構成され二方向即ち左右方向（巾方向）と前後方向（奥行方向）に開口する樋部からなり、装着された連結桿６を締め付けネジによって前記台座部材３の取付部８例えば複数の取付孔或いは長穴に着脱自在に連結し、連結位置を可変として洗濯機の大きさに制約されずに設置面積が変えられる載置台の構成としてある。
【００２０】
この場合、連結桿６には前記カバー板１０を固着する取付孔１６を設けてネジ止めするのがよく、前記側板７の上面から被覆するか、或いは側板７を着脱できる位置に補強用のカバー板１０を重合配備するか、さらには前記載置プレート２上若しくは連結桿６上に嵌合配備して体裁が損なわないように連結するするのがよい。
前記連結桿６は、木材、金属、軽合金或いは合成樹脂によって構成した棒材或いはパイプ材を用いことで、台座部材３の連結をもネジ止めして安全に組立て調整作業も簡単に行うことができる。また、前記連結桿６は、台座部材３の連結桿挿入部４に差し込み締め付けネジによって固着され、この連結桿６に必要に応じ外側面を覆うカバー体（図示せず）を着脱自在に備えたことで、模様替えや清掃取り扱いにも良好な形態とするのがよいし、リビングに適合した体裁良好な形態にするよう配慮する。                  
【００２１】
なお、前記台座部材３の側板挿入部５としては、上面および、側面を開口する二重の周壁部を備えたポケット部からなり、対向する台座部材３に跨がって上面から平板状の側板７を挿脱自在に嵌装して台座部材３間の外側面をカバーするものを用いるのがよく、側板挿入部５の内側に突設する弾性舌片１５を備えて挿入される前記側板７を定着し易くするのがよく、側板の脱落防止或いは位置ずれ防止に役立たせてある。
また前記側板７は、表面に模様或いは色彩などを施した化粧板を選んで用いるが、上縁に折り曲げ縁（図示せず）を形成して前記連結桿７の上面をカバーして体裁を良好にしてもよく、下縁に前記台座部材３の間位置決め用の凸片１７を設けてもよい。
【００２２】
前記台座部材３には、前記側板７と重合するラップ部分を台座部材３の対向面に延設させて可変調節寸法に十分ゆとりを持たせるのもよいし、台座部材３の底面部に脚部１１をを設けて洗濯機載置台１の床面上の安定性を増すように考慮してあるが、該脚部１１に方向自在の車輪のあるキャスタ（図示せず）を着脱自在に装着できるキャスタ取付部１２例えばネジ孔に着脱自在にネジ部によってねじ込み取り付けて簡単に組立て或いは更新できるキャスタを配備して、洗濯機載置台の設置周りの点検時や清掃時に、洗濯機載置台１を床面上に移動取扱のできる形態とすることもできる。
【００２３】
なお、前記洗濯機用載置台１の組立てには、台座部材３の連結桿挿入部４に連結桿６の一端を差し込み押し込んで接続連結し、該連結桿６の他端にも他方の台座部材３の連結桿挿入部４に差し込んで接続連結し他方の台座部材３を組立て、この手順を繰り返して同じものを四隅の角偶部として組立て、洗濯機下部の奥行きと幅の寸法に合わせて、前後左右方向（奥行きと幅方向）の長さを調整し、幅方向および奥行き方向の各連結桿６を台座部材３の取付部８に締め付けネジによって固着して、各四隅のある長方形の洗濯機用載置台１を形成する。  
そして、この各台座部材３間に側板７を掛け渡して側板挿入部５に差し込み洗濯機下部の奥行きと幅の寸法に合わせて、外周部を覆い化粧回した長方形の洗濯機用載置台１とする。  
さらに、四隅の各台座部材３の脚部１１の取付孔１２にそれぞれキャスタを予め或いは事後にねじ込み取り付けておけば長方形の移動台座とすることもでき、洗濯機用載置台１を前後左右方向に均等に動かせるようになる。
【００２４】
また、洗濯機用載置台１の台座部材３にある載置プレート２上に、直接または防振ゴムプレート９および／若しくは補強板を介して、カバー板１０を載せると、外観上の体裁も良好になって、かつ洗濯機を安全に載せることができるし、洗濯機の洩れ水を外部に垂れ流すことなく受けることができるようにすることもできる。
【００２５】
図５及び図６の実施例では、洗濯機用載置台１の台座部材３の上に洗濯機排水ホースＢに接続され排水を処理する排水トラップＣを設けたカバー板１０を用いた例であるが、前記カバー板１０に代えて防水パンを用いたり、或いはカバー板１０を介して防水パンを配備した洗濯機用載置台１とすることもできる。
この実施例で用いられる前記排水トラップＣとしては、前記カバー板１０或いは防水パンの排水口に嵌合され洗濯機載置台１に載置固定されて用いられるが、排水管Ｅに連結される排水トラップ本体２０にトラップ機能を果たす封水カップ２１と、該封水カップ２１に嵌合される封水筒２２と、さらに該封水筒２２に流水間隙をあけて嵌挿されて前記封水カップ２１に載置される案内筒２３とを嵌脱自在に備えられ、該排水トラップ本体２０にエルボのある排水ホースジョイント２４が接続されたものからなっていて、この排水ホースジョイント２４は目皿２５を目皿受２６を介して着脱自在にねじ込み或いは嵌合配備されたものからなり、目皿２５からカバー板１０上の流水を排除できるようになっている。
この排水トラップＣでは、洗濯機の排水ホースから流れてくる汚水は排水ホースジョイント２４から案内筒２３、封水カップ２１を経て流出スリットより排水管Ｅに流出する。
この排水管Ｅを経由して来る悪臭は前記封水筒２２に貯えられている汚水のトラップ作用により案内筒２３および封水筒２２に流れ込むのを確実に抑制防止されるようになっている。
【００２６】
この例では、台座部材３の上に乗り、洗濯機の排水を排水トラップＣを経て流すことができるカバー板１０は、台座部材３に連結されている連結桿６固定され、カバー板１０上の洗濯機Ａの洗濯機排水ホースＢは、洗濯機載置台１下に配設される排水管に連結されて、トラップ機能をはたす排水経路として用いられ、洗濯機Ａからの排水は床面の排水口にスムーズに排出することができ、洗濯機用載置台１の側板７は台座部材３から取り外すことができて洗濯機載置台１下に配設される排水管などの点検や清掃を洗濯機を取り除くことなく容易にできるし、洗い場などの床面での移動も簡単にでき場所を取らずコンパクトで体裁良好な洗濯機載置台としてもちいられ、排水設備の施工作業や住宅の維持管理も容易に行なえる。  
【００２７】
なお、前記カバー板１０としては、四隅に備えた台座部材３の上に直接或いは載置プレート２を介して全面或いは周囲、若しくは一部を覆う補強板を兼ねた板材を用いるのがよく、さらに前記排水トラップＣを嵌合した排水口の周囲を適宜範囲に凹面したトレイ状に加工したもの、即ち防水パンを兼ねたカバー板１０として用いて、カバー板１０の上面で受けた溢れ水の処理をするのもよく、四隅に位置する前記台座部材３の上面に被覆設置され洗濯機を安定して載置できるようにしてある。
【図面の簡単な説明】
【００２８】
【図１】本発明に係る洗濯機載置台を示し、（ａ）はその分離状態の斜視図、（ｂ）は洗濯機を載置した使用様態の縦断面図である。
【図２】図１の例の洗濯機載置台の組立状態を示し、（ａ）はカバー板を取り除いた平面図、（ｂ）はその一部を切断した側面図である。
【図３】図１例で用いられる台座部材を示し、（ａ）はその平面図、（ｂ）はその縦断面図、（ｃ）はｃ−ｃ線における縦断面図である。
【図４】図１の例の洗濯機載置台を示す斜面図である。
【図５】本発明の他の実施例を示し、（ａ）はその一部を切欠した斜視図、（ｂ）はその一部を分離した状態の斜視図である。
【図６】図５（ａ）の例で用いられる排水トラップの拡大縦断面図である。
【符号の説明】
【００２９】
Ａ    洗濯機  
Ｂ    洗濯機排水ホース
Ｃ    排水トラップ
Ｄ    洗濯機脚部
Ｅ    排水管
１    洗濯機載置台    
２    載置プレート
３    台座部材
４    連結桿挿入部  
５    側板挿入部  
６    連結桿  
７    側板    
８    取付部  
９    ゴムプレート
１０    カバー板
１１    脚部  
１２    キャスタ取付部
１５    弾性舌片  
１６    取付孔
１７    凸片
２０    排水トラップ本体
２１    封水カップ
２２    封水筒
２３    案内筒
２４    排水ホースジョイント
２５    目皿
２６    目皿受
【図１】
2007044390.tif 000003
【図２】
2007044390.tif 000004
【図３】
2007044390.tif 000005
【図４】
2007044390.tif 000006
【図５】
2007044390.tif 000007
【図６】
2007044390.tif 000008